(57)【要約】【課題】排泄物の漏れを抑えつつ、装着性の良いテープ型おむつを提供すること。【解決手段】長手方向の最大長さが３３０ｍｍ以下である低体重児用のテープ型おむつ（１）であって、ファスニングテープ（４０）が固定された一対のサイドフラップ（２０）を長手方向の一方側に有し、且つ、一対の立体ギャザー部（５０）を有し、立体ギャザー部（５０）は弾性部材（５１）と長手方向の両端部に厚さ方向に起立不能な一対の基端部（５２）と厚さ方向の肌側に起立可能な起立部（５４）とを有し、長手方向において、一方側の基端部（５２）の他方側の端が、ファスニングテープ（４０）の他方側の端と一致、或いは、ファスニングテープ（４０）の他方側の端よりも他方側に位置し、弾性部材（５１）の伸長倍率が１．５倍以上２．０倍以下であるテープ型おむつ。【選択図】図４
2018068717.tif 000002
【特許請求の範囲】
【請求項１】
長手方向と幅方向と厚さ方向とを有し、
展開且つ伸長した状態での前記長手方向の最大長さが３３０ｍｍ以下であり、前後どちらにでも装着可能な低体重児用のテープ型おむつであって、
前記長手方向の一方側において前記幅方向の両外側に延出し、且つ、ファスニングテープが固定された一対のサイドフラップと、
前記幅方向の両側部に位置する一対の立体ギャザー部と、を有し、
前記立体ギャザー部は、前記長手方向に伸縮可能な弾性部材と、前記長手方向の両端部に位置し、且つ、前記厚さ方向に起立不能な一対の基端部と、前記一対の基端部の間に位置し、且つ、前記弾性部材によって前記厚さ方向の肌側に起立可能な起立部と、を有し、
前記長手方向において、前記一方側の前記基端部の他方側の端が、前記ファスニングテープの前記他方側の端と一致、或いは、前記ファスニングテープの前記他方側の端よりも前記他方側に位置し、
前記弾性部材の伸長倍率が１．５倍以上２．０倍以下であること、を特徴とするテープ型おむつ。
【請求項２】
請求項１に記載のテープ型おむつであって、
着用者の脚回りに沿うように、前記長手方向に伸縮可能な一対の脚回り弾性部材が設けられ、
前記脚回り弾性部材の伸長倍率が１．５倍以上２．０倍以下であること、を特徴とするテープ型おむつ。
【請求項３】
請求項１又は請求項２に記載のテープ型おむつであって、
前記サイドフラップは、前記幅方向の長さが最大となる幅広部を有し、
前記ファスニングテープは、前記幅広部から前記幅方向の外側に延出し、
前記長手方向において、前記サイドフラップの最も前記他方側の端と、前記幅広部の最も前記他方側の端と、を結ぶ仮想線であり、前記長手方向の前記他方側に向かって前記幅方向の内側に傾斜した前記仮想線を有し、
前記仮想線を対角線とする矩形領域において、前記サイドフラップの存在領域よりも非存在領域の方が大きいこと、を特徴とするテープ型おむつ。
【請求項４】
請求項３に記載のテープ型おむつであって、
前記サイドフラップの幅広部の前記長手方向の長さは、前記ファスニングテープの前記長手方向の長さの２倍未満であること、を特徴とするテープ型おむつ。
【請求項５】
請求項３又は請求項４に記載のテープ型おむつであって、
前記長手方向において、前記ファスニングテープの中央位置は、前記幅広部の中央位置と一致、或いは、前記幅広部の中央位置よりも前記他方側に位置していること、を特徴とするテープ型おむつ。
【請求項６】
請求項１から請求項５の何れか１項に記載のテープ型おむつであって、
少なくとも前記ファスニングテープが固定されている部分を切り取るための切り取り線を有し、
前記切り取り線の一端は、前記長手方向における前記サイドフラップの最も前記他方側の端よりも前記他方側に位置すること、を特徴とするテープ型おむつ。
【請求項７】
請求項６に記載のテープ型おむつであって、
前記切り取り線では、前記厚さ方向に貫通又は非貫通の穴が断続的に並び、
前記切り取り線の前記一端は、前記テープ型おむつの前記幅方向の側端に向かって延びており、
前記切り取り線の前記穴は、前記側端よりも前記幅方向の内側に位置していること、を特徴とするテープ型おむつ。
【請求項８】
請求項１から請求項７の何れか１項に記載のテープ型おむつであって、
吸収体を有し、
前記長手方向において、前記ファスニングテープの最も前記一方側の端と、前記吸収体の最も前記一方側の端とが一致していること、を特徴とするテープ型おむつ。
【請求項９】
請求項１から請求項８の何れか１項に記載のテープ型おむつであって、
吸収体を有し、
前記吸収体は、前記長手方向の中央部に、前記幅方向に沿った第１折り誘導部を有するとともに、前記第１折り誘導部よりも前記長手方向の前記他方側に、前記幅方向に沿った第２折り誘導部を有すること、を特徴とするテープ型おむつ。
【発明の詳細な説明】
【技術分野】
【０００１】
本発明は、低体重児用のテープ型おむつに関する。
【背景技術】
【０００２】
テープ型おむつは、一般に、第１胴回り部と股下部と第２胴回り部とを長手方向に並んで有するとともに、第１胴回り部から横方向の両外側に延出して設けられたファスニングテープを第２胴回り部に係止することによって、着用者に装着される。
テープ型おむつは乳幼児に使用されるが、３０００グラム以下の低体重で出産された赤ちゃんは胎内に居た時の姿勢、つまり、両膝が腹部に付く位に引き付けられたうつ伏せ姿勢を取ることが多い。そこで、特許文献１には、吸収体が幅方向の内側にくびれた部位を有し、そのくびれた部位が、長手方向において第２胴回り部側（ファスニングテープ側とは反対側）に寄って形成されたおむつが開示されている。
【先行技術文献】
【特許文献】
【０００３】
【特許文献１】特許第５７４０５２０号
【発明の概要】
【発明が解決しようとする課題】
【０００４】
また、特許文献１のおむつには、幅方向の両側部に、肌側に起立する一対の立体ギャザー部が設けられている。立体ギャザー部は、シートの長手方向の両端部がおむつの本体部に固定されて起立不能な一対の基端部と、その間の部位であり、弾性部材の収縮によって起立する起立部とを有する。
テープ型おむつは、通常、赤ちゃんを仰向けにして装着される。しかし、低体重の赤ちゃんにテープ型おむつを装着する場合、身体に出来る限り触れないことが望ましいとするミニマルハンドリングの考え方から、上記のうつ伏せ姿勢のままおむつが装着されることがある。
そのため、例えば立体ギャザー部の基端部の長さが短いと、ファスニングテープが引っ張られた際に、脚周り以外の立体ギャザー部が不要に開いたり起立したりしてしまう。そうすると、排泄物が漏れ易くなってしまう。
また、おむつ装着時に、うつ伏せ姿勢の赤ちゃんの脚の間に臀部側（背側）から腹側に向かって、長手方向に展開したおむつを通すことになる。そのため、立体ギャザー部の弾性部材の収縮が強いと、おむつが長手方向に湾曲したり、梱包時の折り位置にて折れたりし易いので、おむつを通し難く、装着性が良くない。
【０００５】
そこで、本発明は、排泄物の漏れを抑えつつ、装着性の良いテープ型おむつを提供することを目的とする。
【課題を解決するための手段】
【０００６】
上記目的を達成するための主たる発明は、長手方向と幅方向と厚さ方向とを有し、展開且つ伸長した状態での前記長手方向の最大長さが３３０ｍｍ以下であり、前後どちらにでも装着可能な低体重児用のテープ型おむつであって、前記長手方向の一方側において前記幅方向の両外側に延出し、且つ、ファスニングテープが固定された一対のサイドフラップと、前記幅方向の両側部に位置する一対の立体ギャザー部と、を有し、前記立体ギャザー部は、前記長手方向に伸縮可能な弾性部材と、前記長手方向の両端部に位置し、且つ、前記厚さ方向に起立不能な一対の基端部と、前記一対の基端部の間に位置し、且つ、前記弾性部材によって前記厚さ方向の肌側に起立可能な起立部と、を有し、前記長手方向において、前記一方側の前記基端部の他方側の端が、前記ファスニングテープの前記他方側の端と一致、或いは、前記ファスニングテープの前記他方側の端よりも前記他方側に位置し、前記弾性部材の伸長倍率が１．５倍以上２．０倍以下であること、を特徴とするテープ型おむつである。
本発明の他の特徴については、本明細書及び添付図面の記載により明らかにする。
【発明の効果】
【０００７】
本発明によれば、排泄物の漏れを抑えつつ、装着性の良いテープ型おむつを提供することができる。
【図面の簡単な説明】
【０００８】
【図１】図１Ａ及び図１Ｂは本実施形態におけるテープ型おむつ１の装着状態を示す図である。
【図２】展開且つ伸長した状態のおむつ１を厚さ方向の肌側から見た概略平面図である。
【図３】図３Ａは第１胴回り部１Ａにおけるおむつ１の概略断面図であり、図３Ｂは股下部１Ｂにおけるおむつ１の概略断面図である。
【図４】立体ギャザー部５０を説明する図である。
【図５】図５Ａ及び図５Ｂは梱包時のおむつ１の折り畳みの形態を示す図であり、図５Ｃは比較例のおむつ１’の装着状態を示す図である。
【図６】図６Ａは第１胴回り部１Ａ側のサイドフラップ２０の形状を説明する図であり、図６Ｂは切り取り線６０を説明する図である。
【図７】図７は変形例のおむつ１の概略平面図である。
【発明を実施するための形態】
【０００９】
本明細書及び添付図面の記載により、少なくとも以下の事項が明らかとなる。
長手方向と幅方向と厚さ方向とを有し、展開且つ伸長した状態での前記長手方向の最大長さが３３０ｍｍ以下であり、前後どちらにでも装着可能な低体重児用のテープ型おむつであって、前記長手方向の一方側において前記幅方向の両外側に延出し、且つ、ファスニングテープが固定された一対のサイドフラップと、前記幅方向の両側部に位置する一対の立体ギャザー部と、を有し、前記立体ギャザー部は、前記長手方向に伸縮可能な弾性部材と、前記長手方向の両端部に位置し、且つ、前記厚さ方向に起立不能な一対の基端部と、前記一対の基端部の間に位置し、且つ、前記弾性部材によって前記厚さ方向の肌側に起立可能な起立部と、を有し、前記長手方向において、前記一方側の前記基端部の他方側の端が、前記ファスニングテープの前記他方側の端と一致、或いは、前記ファスニングテープの前記他方側の端よりも前記他方側に位置し、前記弾性部材の伸長倍率が１．５倍以上２．０倍以下であること、を特徴とするテープ型おむつ。
【００１０】
このようなテープ型おむつによれば、胎内に居た時のうつ伏せ姿勢を取る低体重児に装着する場合でも、つまり、サイドフラップ周辺の立体ギャザー部が着用者と床との間で固定されない状態でファスニングテープが引っ張られる場合でも、股下部以外の不要な位置での立体ギャザー部の開きや起立を防止でき、排泄物の漏れを抑えられる。また、弾性部材の伸長倍率が比較的に低いので、おむつが長手方向に展開した状態が維持され易く、うつ伏せ姿勢の低体重児の脚の間に臀部側から腹側に向かって、おむつをスムーズに通すことができ、装着性が良い。
【００１１】
かかるテープ型おむつであって、着用者の脚回りに沿うように、前記長手方向に伸縮可能な一対の脚回り弾性部材が設けられ、前記脚回り弾性部材の伸長倍率が１．５倍以上２．０倍以下であること、を特徴とするテープ型おむつである。
【００１２】
このようなテープ型おむつによれば、おむつが長手方向に展開した状態が維持され易いので、うつ伏せ姿勢の低体重児の脚の間におむつをスムーズに通すことができ、装着性が良い。
【００１３】
かかるテープ型おむつであって、前記サイドフラップは、前記幅方向の長さが最大となる幅広部を有し、前記ファスニングテープは、前記幅広部から前記幅方向の外側に延出し、前記長手方向において、前記サイドフラップの最も前記他方側の端と、前記幅広部の最も前記他方側の端と、を結ぶ仮想線であり、前記長手方向の前記他方側に向かって前記幅方向の内側に傾斜した前記仮想線を有し、前記仮想線を対角線とする矩形領域において、前記サイドフラップの存在領域よりも非存在領域の方が大きいこと、を特徴とするテープ型おむつである。
【００１４】
このようなテープ型おむつによれば、脚周り開口が広くなるので、胎内に居た時のように着用者が脚を強く曲げ易く、着け心地が良くなる。また、サイドフラップの面積が小さくなっているので、うつ伏せ姿勢の低体重児の脚の間におむつを通す際に、サイドフラップが引っ掛かり難い。そのため、おむつをスムーズに通すことができ、また、低体重児の腹部をしっかりと覆う位置までおむつを通すことができ、低体重児の適切な位置におむつが装着され、装着性が良い。
【００１５】
かかるテープ型おむつであって、前記サイドフラップの幅広部の前記長手方向の長さは、前記ファスニングテープの前記長手方向の長さの２倍未満であること、を特徴とするテープ型おむつである。
【００１６】
このようなテープ型おむつによれば、幅広部から延出するファスニングテープに対して、幅広部の長さが不必要に長くなく、サイドフラップの面積が小さくなっている。よって、うつ伏せ姿勢の低体重児の脚の間におむつを通す際に、サイドフラップが引っ掛かり難い。そのため、おむつをスムーズに通すことができ、また、低体重児の腹部をしっかりと覆う位置までおむつを通すことができ、低体重児の適切な位置におむつが装着され、装着性が良い。
【００１７】
かかるテープ型おむつであって、前記長手方向において、前記ファスニングテープの中央位置は、前記幅広部の中央位置と一致、或いは、前記幅広部の中央位置よりも前記他方側に位置していること、を特徴とするテープ型おむつ。
【００１８】
このようなテープ型おむつによれば、うつ伏せ姿勢の低体重児の脚の間にファスニングテープ側を前にしておむつを通す際に、ファスニングテープが着用者に直接引っ掛かり難く、着用者の肌への負担を軽減できる。
【００１９】
かかるテープ型おむつであって、少なくとも前記ファスニングテープが固定されている部分を切り取るための切り取り線を有し、前記切り取り線の一端は、前記長手方向における前記サイドフラップの最も前記他方側の端よりも前記他方側に位置すること、を特徴とするテープ型おむつである。
【００２０】
このようなテープ型おむつによれば、力が集中しやすいサイドフラップの根元（最も他方側の端）からずれて切り取り線の一端が配置されているため、切り取り線が不用意に破れてしまうことを抑制できる。
【００２１】
かかるテープ型おむつであって、前記切り取り線では、前記厚さ方向に貫通又は非貫通の穴が断続的に並び、前記切り取り線の前記一端は、前記テープ型おむつの前記幅方向の側端に向かって延びており、前記切り取り線の前記穴は、前記側端よりも前記幅方向の内側に位置していること、を特徴とするテープ型おむつである。
【００２２】
このようなテープ型おむつによれば、おむつの側端に位置する穴を起点に切り取り線が不用意に破れてしまうことを防止できる。
【００２３】
かかるテープ型おむつであって、吸収体を有し、前記長手方向において、前記ファスニングテープの最も前記一方側の端と、前記吸収体の最も前記一方側の端とが一致していること、を特徴とするテープ型おむつである。
【００２４】
このようなテープ型おむつによれば、うつ伏せ姿勢の低体重児の脚の間にファスニングテープ側を前にしておむつを通す際に、長手方向にずれた２点（ファスニングテープの端及び吸収体の端）が起点となっておむつがくしゃくしゃに折れてしまうことを防ぎ、おむつをスムーズに通すことができ、装着性が良い。
【００２５】
かかるテープ型おむつであって、吸収体を有し、前記吸収体は、前記長手方向の中央部に、前記幅方向に沿った第１折り誘導部を有するとともに、前記第１折り誘導部よりも前記長手方向の前記他方側に、前記幅方向に沿った第２折り誘導部を有すること、を特徴とするテープ型おむつである。
【００２６】
このようなテープ型おむつによれば、ファスニングテープが固定された部位が着用者の背側部に位置するように装着される場合に、胎内に居た時の姿勢を取る低体重児に吸収体がフィットし易い。よって、排泄物の漏れを抑えられ、着け心地を良くできる。
【００２７】
＝＝＝実施形態＝＝＝
図１Ａ及び図１Ｂは本実施形態におけるテープ型おむつ１（以下「おむつ」という）の装着状態を示す図である。図２は展開且つ伸長した状態のおむつ１を厚さ方向の肌側から見た概略平面図である。図３Ａは第１胴回り部１Ａにおけるおむつ１の概略断面図である。図３Ｂは股下部１Ｂにおけるおむつ１の概略断面図である。図４はおむつ１の概略平面図であり、立体ギャザー部５０を説明する図である。
【００２８】
本実施形態のおむつ１は、図２に示すように展開且つ伸長した状態での長手方向の最大長さ（所謂製品長、図２のＬ１）が３３０ｍｍ以下であり、３０００グラム以下の赤ちゃん（以下「低体重児」という）に好適に使用される。より具体的には、製品長を２１０ｍｍ〜３３０ｍｍの範囲にすることが好ましく、２５００グラム未満の低体重児用の製品長を３１０ｍｍ程度、１５００グラム未満の低体重児用の製品長を２７０ｍｍ程度、１０００グラム未満の低体重児用の製品長を２３０ｍｍ程度にすることが好ましい。
【００２９】
また、装着状態でのおむつ１のウェスト寸法を１６０ｍｍ〜２９５ｍｍの範囲にすることが好ましく、２５００グラム未満の低体重児用のウェスト寸法を２７３．５ｍｍ程度、１５００グラム未満の低体重児用のウェスト寸法を２２０ｍｍ程度、１０００グラム未満の低体重児用のウェスト寸法を２１９ｍｍ程度にすることが好ましい。装着状態でのウェスト寸法とは、後述するファスニングテープ４０の幅方向の先端を、他方のファスニングテープ４０が有するフック材４２の幅方向根元側の側端に合わせた状態での寸法とする。なお、ウェスト回りに弾性部材が設けられている場合には、おむつ１が幅方向に伸長した状態での寸法とする。
【００３０】
なお、おむつ１が伸長した状態とは、おむつ１に生じていた皺が実質的に視認されなくなる程におむつ１が伸長した状態であり、おむつ１を構成する各部材（例えば後述するサイドシート６等）の寸法がその部材単体の寸法と一致又はそれに近い長さになるまでおむつ１が伸長した状態である。
【００３１】
＜＜おむつの基本構成＞＞
おむつ１は、図２に示す展開状態において、長手方向と幅方向と厚さ方向とを有するとともに、長手方向の一方側から、第１胴回り部１Ａと、股下部１Ｂと、第２胴回り部１Ｃとを並んで有する。厚さ方向とは、図３Ａ等に示すように、おむつ１を構成する各部材が積層された方向である。厚さ方向において、着用者に接する側を「肌側」といい、その反対側を「非肌側」という。
【００３２】
おむつ１は、図３Ａ等に示すように、尿等の排泄液を吸収する吸収体２と、吸収体２を肌側から覆う液透過性のトップシート３と、吸収体２を非肌側から覆う液不透過性の防漏シート４と、防漏シート４を非肌側から覆い、おむつ１の外形形状を成す外装シート５と、トップシート３上に幅方向に一対並んで設けられた一対のサイドシート６とを有している。
【００３３】
なお、トップシート３としては、エアースルー不織布等を例示でき、防漏シート４としては、ポリエチレンフィルム等の樹脂フィルム等を例示でき、外装シート５及びサイドシート６としてはＳＭＳ不織布（スパンボンド／メルトブローン／スパンボンド不織布）等の柔軟なシートを例示できる。
【００３４】
吸収体２は、その平面形状が長手方向に長い長方形状を成し、吸収性コア２Ａと、吸収性コア２Ａの外周面を被覆するコアラップシート２Ｂとを有する。吸収性コア２Ａは、液体吸収性素材を所定の形状に成形したものである。本実施形態の吸収性コア２Ａは後述の切欠き部７１ａ〜７２ａを有する略長方形状である。液体吸収性素材としては、パルプ繊維等の液体吸収性繊維に高吸収性ポリマー（所謂ＳＡＰ）が含有されたものを例示できる。コアラップシート２Ｂとしては、液透過性のティッシュペーパーや不織布等を例示できるが、吸収体２がコアラップシート２Ｂを有さない形態でもよい。
【００３５】
展開状態のおむつ１（図２）の外形形状は略砂時計形状であり、第１胴回り部１Ａ、及び、第２胴回り部１Ｃは、それぞれ、股下部１Ｂよりも幅方向の両外側に延出した一対のサイドフラップ２０、３０を有する。図３Ａに示すように、サイドフラップ２０，３０は、サイドシート６と外装シート５により形成されている。また、第１胴回り部１Ａが有する一対のサイドフラップ２０の幅方向外側の各端部には、ファスニングテープ４０が固定されている。
【００３６】
ファスニングテープ４０は、テープ基材４１と、フック材４２とを有する。テープ基材４１は、例えば不織布製の部材であり、幅方向に長い略長方形状を成す。フック材４２（例えば面ファスナーの雄部材）は、サイドフラップ２０から幅方向の外側に延出したテープ基材４１の部位の肌側面に設けられている。
【００３７】
おむつ１の装着時、展開状態のおむつ１が着用者にあてがわれつつ長手方向の略中央で２つ折りされ、第１胴回り部１Ａ側の一対のサイドフラップ２０が幅方向の内側に折り返される。そして、一対のファスニングテープ４０に設けられた各フック材４２が第２胴回り部１Ｃの非肌側面に係止される。本実施形態では、外装シート５を不織布にすることで、フック材４２を外装シート５に直接に係止可能としている。但し、これに限らず、面ファスナーの雌部材等、フック材４２が係止され易い部材を外装シート５と別に設けてもよい。また、フック材４２の代わりに、例えば粘着テープをファスニングテープ４０に設けてもよい。
【００３８】
また、おむつ１は、幅方向の両側部の位置に、防漏壁としての一対の立体ギャザー部５０を有する。各立体ギャザー部５０は、図４に示すように、長手方向に伸縮可能な立体ギャザー部用の弾性部材５１（例えば糸ゴム）と、長手方向の両端部に位置し、且つ、厚さ方向に起立不能な一対の第１基端部５２（本発明の基端部）と、第１基端部５２よりも幅方向の外側において、おむつ１の長手方向の全域に亘って位置し、且つ、厚さ方向に起立不能な第２基端部５３と、厚さ方向の肌側に起立可能な起立部５４とを有する。
【００３９】
第１基端部５２及び第２基端部５３は、長手方向に細長い長方形状を成し、サイドシート６がトップシート３に固定されることで形成されている。固定方法としては、ホットメルト接着剤による接着や溶着等の周知の方法を例示できる。なお、図４では、各立体ギャザー部５０の長手方向の各端部において、２つの第１基端部５２が幅方向に並んでいるが、この数は２つに限らない。
【００４０】
また、図３Ｂに示すように、サイドシート６の幅方向の内側の側部は肌側に折り返されており、そうして２層となったサイドシート６の間に、立体ギャザー部５０用の弾性部材５１が長手方向に伸長状態で固定されている。よって、各立体ギャザー部５０が有する一対の第１基端部５２の間のサイド−シート６の部位である起立部５４は、弾性部材５１の収縮によって第２基端部５３を支点として厚さ方向の肌側に起立する。なお、図４では、各立体ギャザー部５０が有する弾性部材５１の数が１本であるが、これに限らず、複数の弾性部材５１が幅方向に並んでいてもよい。
【００４１】
また、着用者の脚回りに沿うように、おむつ１の幅方向の両側部であり、主に股下部１Ｂの位置に、長手方向に伸縮可能な一対の脚周り弾性部材７（例えば糸ゴム）が設けられている。詳しくは、展開且つ伸長状態において、立体ギャザー部５０用の弾性部材５１よりも幅方向の外側に、脚回り弾性部材７が設けられている。脚回り弾性部材７は、サイドシート６の非肌側面に長手方向に伸長状態で固定されている。よって、おむつ１の着用時に、おむつ１の幅方向の各側部が着用者の脚回りにフィットし、排泄物の漏れが抑制される。なお、図２では、おむつ１の幅方向の各側部において２本の脚回り弾性部材７が幅方向に並んでいるが、この数は２本に限らない。
【００４２】
上記では、立体ギャザー部５０用の弾性部材５１、及び、脚回り弾性部材７として、糸ゴムを例示しているが、これに限らない。これらの弾性部材５１，７が、例えば糸状のポリウレタン伸縮性繊維や、熱可塑性エラストマ樹脂を溶融してフィルム状とした伸縮性フィルムや伸縮繊維からなる伸縮性不織布としてもよい。
【００４３】
＜＜低体重児用おむつの特徴＞＞
図５Ａ及び図５Ｂは梱包時のおむつ１の折り畳みの形態を示す図であり、図５Ｃは比較例のおむつ１’の装着状態を示す図である。図６Ａは第１胴回り部１Ａ側のサイドフラップ２０の形状を説明する図であり、図６Ｂは切り取り線６０を説明する図である。図７は変形例のおむつ１の概略平面図である。
【００４４】
一般に、テープ型おむつは長手方向に２つ折りされた状態で梱包されている。本実施形態においても、図５Ａに示すようにサイドフラップ２０，３０が幅方向の内側に折られたおむつ１が、更に図５Ｂに示すように、長手方向の略中央位置Ｐで２つ折りされた状態で梱包されているものとする。
【００４５】
ところで、３０００グラムよりも大きい乳幼児にテープ型おむつを装着する場合、通常、おむつが長手方向に展開された後、その上に乳幼児を仰向けに寝かせた状態で装着される。また、ファスニングテープ４０が固定された第１胴回り部１Ａが背側を覆い、第２胴回り部１Ｃが腹側を覆うように装着される。
【００４６】
一方、３０００グラム以下（特に２５００グラム未満）の低体重で出産された低体重児は、胎内に居た時の姿勢で、うつ伏せで過ごすことが望ましいとする考え方がある。胎内に居た時の姿勢とは、図１Ａ等に示すように、Ｃ字状に背中が丸まるとともに、脚がＭ字に開脚しつつ、両膝が腹部に付く位に引き付けられた状態である。以下、このような低体重児特有の姿勢を「屈曲したうつ伏せ姿勢」ともいう。
また、低体重児の身体には出来る限り触れないことが望ましいとするミニマルハンドリングの考え方がある。
【００４７】
よって、低体重児におむつ１を装着する場合、低体重児を仰向けにせずに、うつ伏せ姿勢のまま装着されることがある。そのため、図１Ａのように通常通りに、第１胴回り部１Ａが背側を覆うように装着される場合（以下「前後通常装着」ともいう）、うつ伏せ姿勢の低体重児の腹部の下に手を入れて、ファスニングテープ４０の係止や取り外しを行わなければならず、装着性が良くない。そこで、図１Ｂのように、第１胴回り部１Ａが腹側を覆うように装着される場合（以下「前後逆装着」ともいう）がある。
【００４８】
また、着用者を仰向けにして、おむつ１を前後通常装着する場合、第１胴回り部１Ａに位置する立体ギャザー部５０が着用者の背中と床との間に挟まれて固定された状態で、ファスニングテープ４０が引っ張られる。
これに対して、うつ伏せ姿勢の低体重児におむつ１を前後通常装着する場合（図１Ａ）、第１胴回り部１Ａが上側に位置している。また、屈曲したうつ伏せ姿勢の低体重児におむつ１を前後逆装着する場合（図１Ｂ）、腹部と床との間に空間が有る。そのため、第１胴回り部１Ａに位置する立体ギャザー部５０が固定されていない状態で、ファスニングテープ４０が引っ張られる。
おむつ１装着の為、ファスニングテープ４０が幅方向の外側に引っ張られた時、第１胴回り部１Ａのうち、ファスニングテープ４０と長手方向に重複する部位に、幅方向の外側への力が強く作用する。
【００４９】
そこで、本実施形態のおむつ１では、図４に示すように、長手方向において、一方側（ファスニングテープ４０側）の第１基端部５２の他方側の端５２ａを、ファスニングテープ４０の他方側の端４０ａと一致させている。詳しくは、第１基端部５２は、おむつ１の長手方向一方側の端１ｂから、ファスニングテープ４０の他方側の端４０ａと同じ長手方向の位置まで延びており、ファスニングテープ４０が位置する長手方向の全域に亘って第１基端部５２が設けられている。つまり、ファスニングテープ４０が引っ張られた時に力が強く作用する部位に第１基端部５２が設けられており、立体ギャザー部５０（サイドシート６）がトップシート３に固定されている。
【００５０】
そのため、低体重児におむつ１を装着する場合のように、第１胴回り部１Ａに位置する立体ギャザー部５０が例えば着用者と床との間で固定されない状態でファスニングテープ４０が引っ張られる場合であっても、股下部１Ｂ以外の不要な位置において、立体ギャザー部５０（サイドシート６）が幅方向の外側に開いたり、起立したりすることを防止できる。よって、立体ギャザー部５０の不要な開きによる排泄物の漏れを抑えられ、また、立体ギャザー部５０の不要な起立による隙間の発生を防ぎ、排泄物の漏れを抑えられる。
【００５１】
なお、前後通常装着する場合（図１Ａ）にも、前後逆装着する場合（図１Ｂ）にも、立体ギャザー部５０の不要な開きや起立を防止でき、排泄物の漏れを抑えられる。よって、本実施形態のおむつ１は、前後どちらにでも装着可能といえる。
【００５２】
また、図７に示す変形例のおむつ１ように、長手方向において、一方側（ファスニングテープ４０側）の第１基端部５２の他方側の端５２ａが、ファスニングテープ４０の他方側の端４０ａよりも他方側に位置していてもよい。この場合も同様の効果が得られる。
【００５３】
また、本実施形態のファスニングテープ４０は略長方形状であるが、これに限らず、例えばファスニングテープ４０が台形形状等でもよい。
また、例えば、ファスニングテープ４０のうち、サイドフラップ２０に固定された部位（図２の点線で囲われた部位４３）と、サイドフラップ２０から延出した部位とで、長手方向の長さが異なってもよい。
これらの場合、サイドフラップ２０から延出しているか延出していないかに関係なく、長手方向におけるファスニングテープ４０の最も他方側の端４０ａと、第１基端部５２の他方側の端５２ａが一致、或いは、ファスニングテープ４０の最も他方側の端４０ａよりも第１基端部５２の他方側の端５２ａが他方側に位置するとよい。
【００５４】
更に、おむつ１では、立体ギャザー部５０用の弾性部材５１の伸長倍率が１．５倍以上２．０倍以下の範囲と、比較的に低い値に設定されている。好ましくは１．５０〜１．８５倍程度にするとよい。なお、伸長倍率とは、弾性部材の自然長を１としたときの伸び度合いであり、弾性部材５１の伸縮の強さを表す。例えば、弾性部材が自然長の１．９倍の長さに伸長された状態でシート等に固定された場合、その弾性部材の伸長倍率は１．９倍となる。
【００５５】
同様に、脚回り弾性部材７の伸長倍率も１．５倍以上２．０倍以下であることが好ましい。好ましくは１．６０〜１．９５倍程度にするとよい。なお、脚周り弾性部材７が複数存在する場合、複数の脚周り弾性部材７の伸長倍率が異なっていてもよく、この場合、少なくとも１つの脚周り弾性部材７の伸長倍率が１．５倍以上２．０倍以下であることが好ましい。
【００５６】
仮に立体ギャザー部５０用の弾性部材５１の伸長倍率を１．５倍未満にしてしまうと、立体ギャザー部５０の起立部５４が肌側に起立し難くなる。そのため、弾性部材５１の伸長倍率を１．５倍以上にすることで、立体ギャザー部５０を防漏壁として機能させることができ、排泄物の横漏れを抑制できる。
【００５７】
同様に、脚周り弾性部材７の伸長倍率を１．５倍未満にしてしまうと、おむつ１が着用者の脚周りにフィットし難くなる。そのため、脚周り弾性部材５１の伸長倍率を１．５倍以上にすることで、おむつ１が着用者の脚周りにフィットし、排泄物の漏れを抑制できる。
【００５８】
また仮に、弾性部材５１及び脚周り弾性部材７の伸長倍率を２．０倍よりも大きくしてしまうと、弾性部材５１及び脚周り弾性部材７の収縮によって、おむつ１が自然状態において、肌側面を内側に長手方向に湾曲したり、梱包時の２つ折り位置Ｐ（図５Ａ）にて折れたりし易い。そのため、弾性部材５１及び脚周り弾性部材７の伸長倍率を２．０倍以下にすることで、自然状態において、おむつ１が長手方向に展開した状態（例えば図２や図５Ａの状態）を維持し易くなる。
【００５９】
低体重児におむつ１を装着する場合、ミニマルハンドリングの考え方から、うつ伏せ姿勢のままの低体重児の脚の間に臀部側（背側）から腹側に向かって、長手方向に展開したおむつ１を通すことになる。そのため、自然状態において、おむつ１が長手方向に展開した状態が維持されることで、低体重児の脚の間におむつ１をスムーズに通すことができ、おむつ１の装着性が良くなる。
【００６０】
なお、立体ギャザー部５０用の弾性部材５１の伸長倍率は、脚周り弾性部材７の伸長倍率よりも低い方が好ましい。そうすることで、おむつ１の自然状態において、立体ギャザー部５０が起立し過ぎてしまうことを防ぎ、立体ギャザー部５０を適度に起立させることができるので、おむつ１が長手方向に展開した状態がより一層維持され易くなる。また、脚周り弾性部材７によって着用者の脚周りに隙間なくおむつ１を密着させることができ、排泄物の漏れを抑制できる。
同様の理由で、図２に示すように、立体ギャザー部５０用の弾性部材５１の長さ（シートに固定され伸縮性を発現する有効長部分の長さ）を、脚周り弾性部材７の長さ（有効長部分の長さ）よりも短くすることが好ましい。
【００６１】
また、３０００グラムよりも大きい乳幼児用のテープ型おむつの場合、弾性部材５１及び脚周り弾性部材７の伸長倍率は一般的に２倍よりも大きい値に設定されている。脚をばたつかせる等の動きが激しい乳幼児に比べて、低体重児の動きは小さい。そのため、本実施形態のおむつ１において弾性部材５１，７の伸長倍率を低くしても、排泄物の漏れのおそれが少ない。また、伸長倍率を低くすることで、低体重児への締め付けを防止でき、低体重児の弱い肌への負担を軽減できる。
【００６２】
また、低体重児特有の屈曲した姿勢には、より適切な脚の曲げ角度がある。つまり、図５Ｃに示すように、低体重児の膝と低体重児の股下とを繋ぐラインＬａに適切な角度がある。看護師等は、低体重児の膝と、おむつ１の上から推測した低体重児の股下の位置とを繋ぐラインに基づき、脚の曲げ角度が適切であるかを判断する。
弾性部材５１及び脚周り弾性部材７の伸長倍率を２．０倍よりも大きくした比較例のおむつ１’では、図５Ｃに示すように、おむつ１が梱包時の２つ折り位置Ｐにて折れた状態で装着され易く、着用者の股下周辺とおむつ１との間に空間が生じ易い。そうすると、看護師等が、２つ折り位置Ｐを着用者の股下と判断し、誤ったラインＬｂの角度で脚の曲げ角度を確認してしまう。
そのため、本実施形態のおむつ１のように、弾性部材５１及び脚周り弾性部材７の伸長倍率を２．０倍以下にすることで、おむつ１の装着時に２つ折り位置Ｐの影響を低減でき、着用者の身体に沿っておむつ１が装着され易い。よって、看護師等がおむつ１の上からでも脚の曲げ角度を適切に判断できる。
【００６３】
なお、弾性部材の伸長倍率の測定は周知の方法で行えばよく、例えば次の方法にて測定できる。まず自然状態のおむつ１において、測定対象の弾性部材のうち伸縮性を発現する有効長部分（つまり伸長状態でシートに固定された部分）の長手方向の長さＨ０を測定する。次におむつ１に生じていた皺が視認出来なくなる程におむつ１を長手方向に最大に伸長した状態での、弾性部材の有効長部分の長手方向の長さＨ１を測定する。そして、次式「伸長倍率＝Ｈ１／Ｈ０」によって、弾性部材の伸長倍率が算出される。
【００６４】
また、本実施形態のおむつ１では、図４に示すように、長手方向一方側の第１基端部５２が吸収体２に達し、長手方向他方側の第１基端部５２も吸収体２に達している。吸収体２よりも長手方向外側のシートで構成されるおむつ１の部位は、吸収体２が存在する部位に比べて剛性が低い。そのため、図４に示すように、吸収体２が存在しない部位の長手方向の全域に亘って第１基端部５２を形成し、剛性を高めるとよい。
そうすることで、おむつ１装着の為、うつ伏せ姿勢の低体重児の脚の間におむつ１を通す際に、吸収体２よりも長手方向の外側の部位が折れ難くなり、スムーズに通すことができ、おむつ１の装着性が良くなる。
【００６５】
また、図６Ａに示すように、ファスニングテープ４０が固定されたサイドフラップ２０は、サイドフラップ２０の幅方向の長さ（Ｌ２）が最大となる幅広部２１と、長手方向においてサイドフラップ２０の最も他方側（内側）の端２２、つまり「根元点２２」とを有する。ファスニングテープ４０は、幅広部２１から幅方向の外側に延出している。なお、根元点２２は、おむつ１の幅が最も狭くなる地点である。具体的には、おむつ１の幅方向の側辺１ａに対する接線が、長手方向の他方側に向かって幅方向の内側に傾斜している部位から、長手方向に沿うか或いは逆向きに傾斜するように変化する境界点である。
【００６６】
そして、おむつ１は、図６Ａに示すように、長手方向において、サイドフラップ２０の他方側の根元点２２と、幅広部２１の最も他方側の端２３と、を結ぶ仮想線Ｌｃであり、長手方向の他方側に向かって幅方向の内側に傾斜した仮想線Ｌｃを有する。本実施形態のおむつ１では、この仮想線Ｌｃを対角線とする矩形領域Ａにおいて、サイドフラップ２０の存在領域（斜線部分）よりも非存在領域の方が大きくなっている。
【００６７】
つまり、サイドフラップ２０の側辺２４は仮想線Ｌｃよりも内側にえぐれている。換言すると、サイドフラップ２０の側辺２４は、仮想線Ｌｃに直交する方向のうちサイドフラップ側（図６ＡのＤ１側）に凸となるように湾曲しており、脚周り開口が広くなっている。そのため、低体重児が脚を強く曲げる屈曲姿勢を取り易く、着け心地が良くなっている。また、屈曲姿勢を取る低体重児の脚でサイドフラップ２０が非肌側にめくれてしまうことを防ぎ、脚周りからの排泄物の漏れを抑制できる。
【００６８】
また、本実施形態のサイドフラップ２０では、例えば図６ＡのＤ１側とは逆側に向かって凸となるように湾曲するサイドフラップに比べて、面積が小さくなっている。そのため、おむつ１装着の為、うつ伏せ姿勢のままの低体重児の脚の間におむつ１を通す際に、サイドフラップ２０が脚に引っ掛かり難い。よって、おむつ１をスムーズに通すことができ、装着性が良い。また、サイドフラップ２０が脚に引っ掛かって止まった位置にておむつ１が装着されてしまうことを防止できる。つまり、低体重児の腹部をしっかりと覆う位置までおむつ１を通すことができ、低体重児の適切な位置におむつ１が装着され、排泄物の漏れを抑制できる。
【００６９】
更に、本実施形態のサイドフラップ２０では、おむつ１の長手方向において、幅広部２１の長さＬ３が、ファスニングテープ４０の長さＬ４の２倍未満となっている（Ｌ３＜２×Ｌ４）。つまり、幅広部２１から延出するファスニングテープ４０に対して、幅広部２１の長さが不必要に長くなく、サイドフラップ２０の面積が出来る限り小さくなっている。よって、低体重児の脚の間におむつ１を通す際に、サイドフラップ２０がより一層引っ掛かり難くなる。よって、おむつ１をスムーズに通すことができ、また、低体重児の腹部をしっかりと覆う位置までおむつ１を通すことができる。
【００７０】
なお、ファスニングテープ４０の幅（おむつ１の長手方向における長さ）Ｌ４が一定でない場合もある。その場合、おむつ１の長手方向において、幅広部２１の長さＬ３は、サイドフラップ２０から延出しているファスニングテープ４０の部位の最大長さの２倍未満、或いは、ファスニングテープ４０の根元（幅方向内側の端）の長さの２倍未満であることが好ましい。但し、これらに限らず、例えば、幅広部２１の長さＬ３が、サイドフラップ２０から延出しているファスニングテープ４０の部位の最小長さの２倍未満でもよく、また、サイドフラップ２０に固定されたファスニングテープ４０の部位の長さの２倍未満であってもよい。
【００７１】
また、ファスニングテープ４０は着用者が摘まむ部位であるため、おむつ１の他の部材に比べると、剛性が高く硬い部材である。そのため、図６Ｂに示すように、おむつ１の長手方向において、ファスニングテープ４０の中央位置ＣＬ１が、幅広部２１の中央位置ＣＬ２よりも長手方向の他方側（内側）に位置しているか、或いは、図７に示すように、ファスニングテープ４０の中央位置ＣＬ１と幅広部２１の中央位置ＣＬ２とが一致していることが好ましい。
【００７２】
そうすることで、長手方向において、幅広部２１の一方側の端２５からファスニングテープ４０の一方側の端４０ｂまでの長さＬ５が、ファスニングテープ４０の他方側の端４０ａから幅広部２１の他方側の端２３までの長さＬ６以上となる。よって、おむつ１を前後逆装着する為（図１Ｂ）、低体重児の脚の間にファスニングテープ４０側を前にしておむつ１を通す際に、例えば、ファスニングテープ４０よりも先に通ったシート部分が折れてファスニングテープ４０を包む等して、硬いファスニングテープ４０が低体重児に直接引っ掛かり難くなる。よって、低体重児の肌への負担を軽減できる。
【００７３】
また、おむつ１では、長手方向におけるファスニングテープ４０の一方側の端４０ｂや、吸収体２の端２ａにおいて、剛性差が生じ、折れ易くなっている。そこで、図４に示すように、長手方向において、ファスニングテープ４０の最も一方側の端４０ｂと、吸収体２の最も一方側の端２ａとを一致させるとよい。
【００７４】
そうすることで、低体重児の脚の間にファスニングテープ４０側を前にしておむつ１を通す際に、長手方向にずれた折れ起点（ファスニングテープ４０の端と吸収体２の端）で、おむつ１がくしゃくしゃに折れてしまうことを防止できる。よって、スムーズにおむつ１を通すことができ、おむつ１の装着性が良くなる。
【００７５】
以上のように、本実施形態のおむつ１では、低体重児の脚の間にファスニングテープ４０側を前にしておむつ１を通すこと（つまり前後逆装着すること）も考慮した工夫が施されている。したがって、本実施形態のおむつ１は前後どちらにでも装着可能であるといえる。
【００７６】
また、図２に示すように、おむつ１は、第１胴回り部１Ａにファスニングテープ４０が固定されている部分（点線部分４３）を少なくとも切り取るための切り取り線６０を有する。おむつ１は、ファスニングテープ４０を一対有するため、切り取り線６０も一対有する。
【００７７】
本実施形態の切り取り線６０は、図６Ｂに示すように、ミシン目で形成されており、厚さ方向に貫通又は非貫通の穴６１が断続的に並ぶことによって形成されている。但しこれに限らず、例えば、溝状の連続した凹部によって切り取り線６０を形成してもよく、切り取り線６０に沿っておむつ１の一部が本体部から切り離し易くなっていればよい。
【００７８】
また、本実施形態の切り取り線６０は、おむつ１の長手方向一方側の端１ｂ（すなわち着用時に胴回り開口となる部分）から、ファスニングテープ４０の固定部分４３よりも幅方向の内側の位置を通って、おむつ１の幅方向の側端１ａ（すなわち着用時に脚周り開口となる部分）に向かって延びている。詳しくは、切り取り線６０は、おむつ１の長手方向一方側の端１ｂから長手方向に沿って延びた直線部分と、その直線部分からおむつ１の幅方向の側端１ａに向かって湾曲した曲線部分とを有する。但し、切り取り線６０の形状は図示するものに限らず、ファスニングテープ４０の固定部分４３を切り取ることができれば、どのような形状でもよい。
【００７９】
おむつ１が切り取り線６０を有することで、例えば前後通常装着（図１Ａ）の場合、低体重児の腹部の下に手を入れてファスニングテープ４０を取り外さなくても、切り取り線６０を切断すればよい。そうすると、ファスニングテープ４０（フック材４２）が第２胴回り部１Ｃに係止されている状態で、第１胴回り部１Ａと第２胴回り部１Ｃの連結が解かれ、おむつ１が長手方向に展開する。最後に、低体重児の脚の間からおむつ１を引き抜けば、着用者から容易におむつ１を取り外せる。
【００８０】
また、前後逆装着（図１Ｂ）の場合には、切り取り線６０を切断することで、背側に位置していた第２胴回り部１Ｃにファスニングテープ４０が係止している状態で、おむつ１が長手方向に展開する。よって、硬いファスニングテープ４０が固定された第１胴回り部１Ａを低体重児の脚の間に通すことなく、おむつ１を引き抜くことができ、低体重児の肌への負担を軽減できる。
【００８１】
また、図６Ｂに示すように、切り取り線６０の一端６２（おむつ１の幅方向の側端１ａに向かって延びた端６２）は、長手方向におけるサイドフラップ２０の最も他方側の端２２（すなわち、サイドフラップ２０の根元点２２）よりも他方側に位置している。サイドフラップ２０の根元点２２には力が集中し易いので、サイドフラップ２０の根元点２２と、切り取り線６０の一端６２とを、長手方向にずらして配置することが好ましい。
【００８２】
そうすることで、例えば、おむつ１装着の為にファスニングテープ４０が幅方向の外側に引っ張られた際に、切り取り線６０の一端６２を起点に切り取り線６０が不用意に破れてしまうことを防止できる。また、低体重児の脚の間にファスニングテープ４０側を前にしておむつ１を通す際に、サイドフラップ２０が低体重児の脚に引っ掛かる等しても、切り取り線６０が不用意に破れてしまうことを防止できる。
【００８３】
また、図６Ｂに示すように、切り取り線６０の穴６１が、おむつ１の幅方向の側端１ａよりも幅方向の内側に位置していることが好ましい。仮に、切り取り線６０の穴６１がおむつ１の側端１ａに達していると、側端１ａに切り込みが形成された状態となり、側端１ａの穴６１を起点に切り取り線６０が破れ易くなってしまう。そこで、上記のように穴６１を配置することで、切り取り線６０が不用意に破れてしまうことを防止できる。
【００８４】
また、図６Ｂに示すように、おむつ１を厚さ方向に見て、切り取り線６０と、脚回り弾性部材７とが交差して配置されていることが好ましい。そうすることで、切り取り線６０の一端６２から切り取り線６０が不用意に破れ始めてしまっても、脚周り弾性部材７で切り取り線６０の破れの進行を抑えることができる。
なお、おむつ１が切り取り線６０を有していなくてもよい。
【００８５】
また、図２に示すように、吸収体２は、長手方向の中央部（中央位置ＣＬ周辺）に、幅方向に沿った第１折り誘導部７１と、第１折り誘導部７１よりも長手方向の他方側に、幅方向に沿った第２折り誘導部７２とを有する。第１〜第２折り誘導部７１〜７２とは、吸収体２が幅方向（或いは略幅方向）に沿って長手方向に折れ曲がるように誘導する部位である。
【００８６】
第１折り誘導部７１は、吸収性コア２Ａの幅方向の両側部に一対の切欠き部７１ａが設けられることによって形成されている。切欠き部７１ａでは、周辺の領域に比べて吸収性コア２Ａを構成する部材（液体吸収性繊維）の坪量が低くなっているか、或いは吸収性コア２Ａを構成する部材が存在していない。また、一対の切欠き部７１ａは長手方向の同じ位置に設けられている。よって、第１折り誘導部７１では、周囲の領域との剛性差により、吸収体２が幅方向に沿って折れ易くなっている。
【００８７】
同様に、第２折り誘導部７２も、それぞれ、吸収性コア２Ａの幅方向の両側部に一対の切欠き部７２ａが設けられることによって形成されている。なお、本実施形態では、切欠き部７１ａ〜７２ａの形状を、幅方向の内側に凸となる山形形状としているが、これに限らず、例えば長方形状等でもよい。
【００８８】
吸収体２が第１折り誘導部７１及び第２折り誘導部７２を有することで、前後通常装着する場合に（図１Ａ）、吸収体２が着用者にフィットし易くなる。詳しくは、第１折り誘導部７１と第２折り誘導部７２の間の吸収体２の部位（即ち、中央位置ＣＬよりも他方側に寄った部位）が底となり、屈曲姿勢を取る着用者の股下部にフィットし、また、その前後の吸収体２の部位が立ち上がり、それぞれ着用者の腹部と背側部とにフィットする。
【００８９】
このように吸収体２が着用者にフィットすることで、隙間の発生を防ぎ、排泄物の漏れを抑制できる。また、屈曲姿勢を取る低体重児に吸収体２をフィットし易くすることで、剛性の高い吸収体２で低体重児を圧迫してしまうことを防ぎ、低体重児への負担を軽減できる。但し、これに限定されず、例えば、吸収体２が第２折り誘導部７２を有さない形態でもよいし、吸収体２が第１〜第２折り誘導部７１〜７２を有さない形態でもよい。
【００９０】
また、本実施形態では吸収性コア２Ａに切欠き部７１ａ〜７２ａを設けることで第１〜第２折り誘導部７１〜７２を形成しているが、これに限らない。例えば、吸収性コア２Ａを厚さ方向に圧搾した圧搾部（エンボス）を幅方向に沿って形成したり、吸収性コア２を幅方向に沿って折る曲げ加工を製造工程で吸収性コア２に施したり、吸収性コア２を構成する部材の坪量を幅方向に沿って低くしたり、吸収性コア２の幅方向の中央部に幅方向に沿ったスリットを形成したり、吸収性コア２の幅方向の両側部に幅方向に沿った切込みを形成したりすることで、第１〜第２折り誘導部７１〜７２を形成してもよい。また、梱包時の２つ折り位置Ｐ（図５Ａ）を第１折り誘導部７１としてもよい。
【００９１】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【符号の説明】
【００９２】
１  おむつ（テープ型おむつ）、
１Ａ  第１胴回り部、１Ｂ  股下部、１Ｃ  第２胴回り部、
２  吸収体、２Ａ  吸収性コア、２Ｂ  コアラップシート、
３  トップシート、４  防漏シート、５  外装シート、
６  サイドシート、７  脚周り弾性部材、
２０  サイドフラップ、２１  幅広部、３０  サイドフラップ、
４０  ファスニングテープ、４１  テープ基材、４２  フック材、
５０  立体ギャザー部、５１  弾性部材、５２  第１基端部（基端部）、
５３  第２基端部、５４  起立部、
６０  切り取り線、６１  穴、
７１  第１折り誘導部、７１ａ  切欠き部、７２  第２折り誘導部、
７２ａ  切欠き部、Ｌｃ  仮想線、Ａ  矩形領域、
【図１】
2018068717.tif 000003
【図２】
2018068717.tif 000004
【図３】
2018068717.tif 000005
【図４】
2018068717.tif 000006
【図５】
2018068717.tif 000007
【図６】
2018068717.tif 000008
【図７】
2018068717.tif 000009